(57)【特許請求の範囲】
【請求項１】
複数の基地局及びユーザ設備を有するモバイル通信システムにおいて、前記ユーザ設備と前記複数の基地局の中のソース基地局との間で確立される通信リンクのハンドオーバを築く方法であって、
ハンドオーバのための前記複数の基地局のセルの特性の測定を含む測定リポートに基づき、前記複数の基地局の中の少なくとも１つの候補ハンドオーバ基地局の再設セル及び目標セルを選択し、
前記目標セル及び前記再設セルを示すハンドオーバリクエストを前記ソース基地局から前記少なくとも１つの候補ハンドオーバ基地局へ送信することによって、ハンドオーバ準備を開始し、
前記目標セルに対して及び前記再設セルに対してアドミッション制御を行い、
前記目標セルに対する及び前記再設セルに対する前記アドミッション制御を表すフィードバック情報を含むハンドオーバリクエスト肯定応答を前記少なくとも１つの候補ハンドオーバ基地局から前記ソース基地局へ送信することによって、前記ハンドオーバを開始し、
前記目標セルに対する及び前記再設セルに対する前記アドミッション制御を表す前記フィードバック情報により前記ユーザ設備を更新する
方法。
【請求項２】
前記フィードバック情報により前記ユーザ設備を更新するステップは、
前記フィードバック情報に基づきハンドオーバセルのハンドオーバリストを準備し、前記目標セルは前記ハンドオーバリストのメインエントリであり、前記再設セルは前記ハンドオーバリストの予備エントリであり、
前記ユーザ設備を更新するために前記ソース基地局から前記ユーザ設備へ前記ハンドオーバセルのハンドオーバリストを送信する、
請求項１に記載の方法。
【請求項３】
前記フィードバック情報により前記ユーザ設備を更新するステップは、
前記フィードバック情報を前記ソース基地局から前記ユーザ設備へ転送し、
前記フィードバック情報に基づきハンドオーバセルのハンドオーバリストを準備し、前記目標セルは前記ハンドオーバリストのメインエントリであり、前記再設セルは前記ハンドオーバリストの予備エントリである、
請求項１に記載の方法。
【請求項４】
更に、
前記通信リンクを前記目標セルへハンドオーバし、
前記通信リンクを前記目標セルへハンドオーバするハンドオーバ失敗を検出し、
前記通信リンクを前記再設セルへハンドオーバする
請求項１乃至３のうちいずれか一項に記載の方法。
【請求項５】
前記フィードバック情報は、
前記目標セルの及び／又は前記再設セルの利用可能性に関する情報、及び／又は
前記再設セルの許可された無線ベアラのリスト
を含む、請求項１乃至４のうちいずれか一項に記載の方法。
【請求項６】
前記測定リポートに基づき、前記少なくとも１つの候補ハンドオーバ基地局の、前記再設セルを含む複数の再設セル、及び前記目標セルを選択し、
前記目標セル及び前記複数の再設セルを示す前記ハンドオーバリクエストを前記ソース基地局から前記少なくとも１つの候補ハンドオーバ基地局へ送信することによって、前記ハンドオーバ準備を開始し、
前記目標セルに対して及び前記複数の再設セルに対してアドミッション制御を行い、
前記目標セルに対する及び前記複数の再設セルに対する前記アドミッション制御を表すフィードバック情報を含む前記ハンドオーバリクエスト肯定応答を前記少なくとも１つの候補ハンドオーバ基地局から前記ソース基地局へ送信することによって、前記ハンドオーバを開始し、
前記目標セルに対する及び前記複数の再設セルに対する前記アドミッション制御を表す前記フィードバック情報により前記ユーザ設備を更新するために、前記フィードバック情報を前記ソース基地局から前記ユーザ設備へ転送する
請求項１乃至５のうちいずれか一項に記載の方法。
【請求項７】
更に前記フィードバック情報に基づきハンドオーバセルのハンドオーバリストを準備し、前記目標セルは前記ハンドオーバリストのメインエントリであり、前記複数の再設セルの中の第１の再設セルは前記ハンドオーバリストの第１の予備エントリであり、前記複数の再設セルの中の第２の再設セルは前記ハンドオーバリストの第２の予備エントリである、
請求項６に記載の方法。
【請求項８】
前記少なくとも１つの候補ハンドオーバ基地局は単一の目標基地局であり、当該方法は、
前記測定リポートに基づき、前記目標基地局の前記再設セル及び前記目標セルを選択し、
前記ハンドオーバリクエストを前記ソース基地局から前記目標基地局へ送信することによって、前記ハンドオーバ準備を開始し、
前記目標基地局で前記目標セルに対して及び前記再設セルに対してアドミッション制御を行い、
前記ハンドオーバリクエスト肯定応答を前記目標基地局から前記ソース基地局へ送信することによって、前記ハンドオーバを開始し、
前記目標基地局の前記再設セルに対する及び前記目標セルに対する前記アドミッション制御を表す前記フィードバック情報により前記ユーザ設備を更新する
請求項１乃至７のうちいずれか一項に記載の方法。
【請求項９】
前記少なくとも１つの候補ハンドオーバ基地局は第１の目標基地局及び第２の目標基地局を有し、前記目標セルは前記第１の目標基地局の第１の目標セルであり、前記再設セルは前記第１の目標基地局の第１の再設セルであり、前記ハンドオーバリクエストは前記第１の目標基地局の第１のハンドオーバリクエストであり、前記ハンドオーバリクエスト肯定応答は前記第１の目標基地局の第１のハンドオーバリクエスト肯定応答であり、前記フィードバック情報は前記第１の目標基地局の第１のフィードバック情報であり、当該方法は更に、
前記測定リポートに基づき、前記複数の基地局の中の前記第２の目標基地局の第２の再設セル及び第２の目標セルを選択し、
前記第２の目標セル及び前記第２の再設セルを示す第２のハンドオーバリクエストを前記ソース基地局から前記第２の目標基地局へ送信することによって、前記ハンドオーバ準備を開始し、
前記第２の目標セルに対して及び前記第２の再設セルに対してアドミッション制御を行い、
前記第２の目標セルに対する及び前記第２の再設セルに対する前記アドミッション制御を表す第２のフィードバック情報を含む第２のハンドオーバリクエスト肯定応答を前記第２の目標基地局から前記ソース基地局へ送信することによって、前記ハンドオーバを開始し、
前記第２の目標セルに対する及び前記第２の再設セルに対する前記アドミッション制御を表す前記第２のフィードバック情報により前記ユーザ設備を更新する
請求項１乃至８のうちいずれか一項に記載の方法。
【請求項１０】
更に、
前記ハンドオーバリクエストを前記ソース基地局から中間基地局へ送信することによって、前記ハンドオーバ準備を開始し、
前記ハンドオーバリクエストを前記中間基地局から前記少なくとも１つの候補ハンドオーバ基地局へ転送する
請求項１乃至９のうちいずれか一項に記載の方法。
【請求項１１】
更に、
前記ハンドオーバリクエスト肯定応答を前記少なくとも１つの候補ハンドオーバ基地局から中間基地局へ送信し、
前記ハンドオーバリクエスト肯定応答を前記中間基地局から前記ソース基地局へ転送する
請求項１乃至１０のうちいずれか一項に記載の方法。
【請求項１２】
更に、
中間基地局のセルに対してアドミッション制御を行い、
前記少なくとも１つの候補ハンドオーバ基地局の前記再設セルに対する及び前記目標セルに対するアドミッション制御を表すフィードバック情報と、前記中間基地局の前記セルに対するアドミッション制御を表すフィードバック情報とを含む複合ハンドオーバリクエスト肯定応答を前記中間基地局から前記ソース基地局へ送信することによって、前記ハンドオーバを開始し、
前記少なくとも１つの候補ハンドオーバ基地局の前記再設セルに対する及び前記目標セルに対するアドミッション制御を表すフィードバック情報により、及び前記中間基地局の前記セルに対するアドミッション制御を表すフィードバック情報により、前記ユーザ設備を更新する
請求項１乃至１１のうちいずれか一項に記載の方法。
【請求項１３】
更に、
前記測定リポートに基づき中間基地局のセルを選択し、
前記少なくとも１つの候補ハンドオーバ基地局の前記再設セル及び前記目標セル並びに前記中間基地局の前記セルを示す複合ハンドオーバリクエストを前記ソース基地局から前記中間基地局へ送信することによって、前記ハンドオーバ準備を開始する
請求項１乃至１２のうちいずれか一項に記載の方法。
【請求項１４】
複数の基地局及びユーザ設備を有し、前記ユーザ設備と前記複数の基地局の中のソース基地局との間に通信リンクが確立されるモバイル通信システムであって、
ハンドオーバのための前記複数の基地局のセルの特性の測定を含む測定リポートに基づき、前記複数の基地局の中の少なくとも１つの候補ハンドオーバ基地局の再設セル及び目標セルを選択するセル選択ユニットと、
前記目標セル及び前記再設セルを示すハンドオーバリクエストを前記ソース基地局から前記少なくとも１つの候補ハンドオーバ基地局へ送信することによって、ハンドオーバ準備を開始するハンドオーバ準備ユニットと、
前記目標セルに対して及び前記再設セルに対してアドミッション制御を行うアドミッション制御ユニットと、
前記目標セルに対する及び前記再設セルに対する前記アドミッション制御を表すフィードバック情報を含むハンドオーバリクエスト肯定応答を前記少なくとも１つの候補ハンドオーバ基地局から前記ソース基地局へ送信することによって、前記ハンドオーバを開始するハンドオーバユニットと、
前記目標セルに対する及び前記再設セルに対する前記アドミッション制御を表す前記フィードバック情報により前記ユーザ設備を更新する更新ユニットと
を有するハンドオーバ制御ユニットを有する、モバイル通信システム。
【請求項１５】
複数の基地局及びユーザ設備を有し、前記ユーザ設備と前記複数の基地局の中のソース基地局との間に通信リンクが確立されるモバイル通信システムにおいて、ソース基地局として使用される基地局であって、
ハンドオーバのための前記複数の基地局のセルの特性の測定を含む測定リポートに基づき、前記複数の基地局の中の少なくとも１つの候補ハンドオーバ基地局の再設セル及び目標セルを選択するセル選択ユニットと、
前記目標セル及び前記再設セルを示すハンドオーバリクエストを前記少なくとも１つの候補ハンドオーバ基地局へ送信することによって、ハンドオーバ準備を開始するハンドオーバリクエスト送信ユニットと、
前記目標セルに対する及び前記再設セルに対するアドミッション制御を表すフィードバック情報を含むハンドオーバリクエスト肯定応答を前記少なくとも１つの候補ハンドオーバ基地局から受信すると、前記ハンドオーバを開始するハンドオーバユニットと、
前記目標セルに対する及び前記再設セルに対する前記アドミッション制御を表す前記フィードバック情報により前記ユーザ設備を更新する更新ユニットと
を有する基地局。
【請求項１６】
複数の基地局及びユーザ設備を有し、前記ユーザ設備と前記複数の基地局の中のソース基地局との間に通信リンクが確立されるモバイル通信システムにおいて、候補ハンドオーバ基地局として使用される基地局であって、
ハンドオーバのための当該候補ハンドオーバ基地局の再設セル及び目標セルを示すハンドオーバリクエストを前記ソース基地局から受信すると、ハンドオーバ準備を開始するハンドオーバ準備ユニットと、
前記目標セルに対して及び前記再設セルに対してアドミッション制御を行うアドミッション制御ユニットと、
前記目標セルに対する及び前記再設セルに対する前記アドミッション制御を表すフィードバック情報を含むハンドオーバリクエスト肯定応答を前記ソース基地局へ送信することによって、前記ハンドオーバを開始するハンドオーバリクエスト肯定応答送信ユニットと
を有する基地局。
【請求項１７】
請求項１５及び１６に記載の基地局。
【請求項１８】
モバイル通信システムのためのユーザ設備であって、前記モバイル通信システムは複数の基地局及び前記ユーザ設備を有し、前記ユーザ設備と前記複数の基地局の中のソース基地局との間に通信リンクが確立される、ユーザ設備において、
ハンドオーバのための前記複数の基地局のセルの特性の測定を含む測定リポートを前記ソース基地局へ前記通信リンクを介して送信する測定リポート送信ユニットと、
前記ハンドオーバのための少なくとも１つの候補ハンドオーバ基地局の再設セルに対する及び目標セルに対するアドミッション制御を表すフィードバック情報を受信するフィードバック情報受信ユニットと
を有するユーザ設備。
【請求項１９】
実行される場合に、コンピュータに請求項１乃至１３のうちいずれか一項に記載の方法を実行させるプログラムコードを記憶したコンピュータ可読媒体。
【発明の詳細な説明】
【技術分野】
【０００１】
本発明は、複数の基地局及びユーザ設備を有するモバイル通信システムにおいて、前記ユーザ設備と前記複数の基地局の中のソース基地局との間で確立される通信リンクのハンドオーバを築く方法に関する。本発明は更に、本発明に従うハンドオーバ方法を実行するよう構成されるモバイル通信システム、ソース基地局及び／又は目標基地局として使用される基地局、並びにユーザ設備に関する。特に、それに限定されないが、本発明は、例えば、３ＧＰＰ仕様シリーズの３６シリーズ（特に、仕様書３６．ｘｘｘ及びそれに関連する文書）、リリース９、１０以降において記載されるような、標準のＬＴＥ（Long  Term  Evolution）及びＬＴＥ−Ａｄｖａｎｃｅｄ無線技術グループに準拠するハンドオーバ方法に関する。なお、本発明はまた、モバイル通信デバイスとサービング通信デバイスとの間の通信リンクが目標通信デバイスへハンドオーバされるよう準備されるＵＭＴＳ、ＷｉＭＡＸ及び他の通信システムに適用可能である。
【背景技術】
【０００２】
ＵＭＴＳ（Universal  Mobile  Telecommunications  System）又は３Ｇ無線通信システムは、世界中で展開されている。ＵＭＴＳシステムの将来の発展は、ＬＴＥ及びＬＴＥ−Ａｄｖａｎｃｅｄ無線技術に重点を置かれている。３ＧＰＰは、ＬＴＥ−Ａｄｖａｎｃｅｄ標準として知られるＬＴＥのための進歩した機能及び特性についての仕様を定義している。ＵＭＴＳ、ＬＴＥ及びＬＴＥ−Ａｄｖａｎｃｅｄのような次世代のモバイル通信は、既存のシステムと比較して改善されたサービスをユーザに提供することを目指す。それらのシステムは、音声、映像及びＩＰマルチメディアデータのような幅広い情報の処理及び伝送のための高データレートサービスを提供すると期待される。以下で、ＬＴＥ−Ａｄｖａｎｃｅｄ及び更に将来の世代の無線通信システムは別々に述べられず、“ＬＴＥ”が述べられるときはいつでも含まれる。ＬＴＥは、ユーザに対する高められたデータレートを有する高速データサービスの提供のための技術である。ＵＭＴＳ及び前世代のモバイル通信システムと比較して、ＬＴＥはまた、遅延の低減、セルエッジカバレッジの拡大、ビット毎費用（cost  per  bit）の低減、柔軟なスペクトル利用及び多重無線アクセス技術モビリティを提供する。
【０００３】
Ｅｖｏｌｖｅｄ  ＵＴＲＡＮ（Ｅ−ＵＴＲＡＮ）は、ＬＴＥ及びＬＴＥ−Ａｄｖａｎｃｅｄ技術における高データレート、低レイテンシー及びパケット最適化無線アクセスネットワークへの３Ｇ  ＵＭＴＳ無線アクセスネットワークＵＴＲＡＮの進化である。Ｅ−ＵＴＲＡＮアーキテクチャは、例えば、３ＧＰＰ  ＴＲ  ３６．４０１、特にセクション６において、記載される。その開示は、参照により本願に援用される。
【０００４】
現在のＵＭＴＳシステムにおいて見られるように、ＬＴＥ（及び結果としてＬＴＥ−Ａｄｖａｎｃｅｄ）の基本アーキテクチャは、基地局として動作するアクセスノード（Ｅ−ＵＴＲＡＮノードＢ、ｅＮＢ）へユーザ（すなわち、より正確には、ユーザ設備ＵＥ）を接続し、それらのアクセスノードがコアネットワーク（Evolved  Packet  Core、ＥＰＣ）へ接続されている無線アクセスネットワーク（Ｅ−ＵＴＲＡＮ）から成る。ｅＮＢは、ＵＥへＥ−ＵＴＲＡＮ（Evolved  Universal  Terrestrial  Radio  Access）ユーザプレーン及び制御プレーンプロトコルターミネーションを提供する。ｅＮＢ（語“ｅＮＢ”は、本明細書において、語“アクセスノード”、“アクセスポイント”及び“基地局”と同義的に使用される。）は、Ｘ２インターフェースによって互いと相互接続されてよい。ｅＮＢは、Ｓ１インターフェースによってＥＰＣへ、より具体的には、Ｓ１−ＭＭＥによってＭＭＥ（Mobile  Management  Entity）へ及びＳ１−ＵによってＳ−ＧＷ（Serving  Gateway）へ接続される。Ｅ−ＵＴＲＡＮ無線インターフェースプロトコルアーキテクチャの更なる詳細は、例えば、３ＧＰＰ  ＴＲ  ３６．３００において記載される。なお、その開示は、参照により本願に援用される。
【０００５】
ｅＮＢは、ＦＤＤ（周波数分割双方向）（Frequency  Division  Duplex）モード、ＴＤＤ（時分割双方向）（Time  Division  Duplex）モード又はデュアルモード動作をサポートしてよい。ｅＮＢは、Ｘ２を介して相互接続されてよい。Ｘ２は、２つのｅＮＢの間の論理インターフェースであってよい。ｅＮＢの間のポイント・ツー・ポイントリンクを論理的に表す一方、物理的な実現はポイント・ツー・ポイントリンクである必要はない。Ｘ２インターフェースは、例えば、仕様シリーズ３ＧＰＰ  ＴＳ  ３６．４２ｘ（３６．４２０、３６．４２１、３６．４２２、３６．４２３、３６．４２４）において、より詳細に記載される。なお、その開示は、参照により本願に援用される。
【０００６】
典型的なＬＴＥネットワークにおいて、ＵＥは、無線インターフェースＵｕによってｅＮＢへ接続される。ｅＮＢは、Ｓ１インターフェースを介してコアネットワーク（ＣＮ）へ接続される。ｅＮＢは、Ｓ１制御プレーンインターフェース（Ｓ１−ＭＭＥ）を介してＭＭＥへ接続される。Ｓ１−ＭＭＥは、例えば、アイドルモードＵＥ到達可能性及びハンドオーバサポートのための制御機能を提供する。ＵＥのためのユーザプレーン（ＵＰ）データは、Ｓ１ユーザプレーンインターフェース（Ｓ１−Ｕ）を介するＳ−ＧＷへ、ｅＮＢを介してルーティングされる。
【０００７】
２つのノードの間（例えば、Ｘ２インターフェースを介する２つのｅＮＢの間、又はＳ１インターフェースを介するｅＮＢとＥＰＣとの間）の基本インタラクションは、エレメンタリプロシージャ（ＥＰ）と呼ばれる。ＥＰは、メッセージを開始し、任意に応答を受信することから成る。Ｘ２インターフェースを介するＥＰの例は、例えば、３ＧＰＰ  ＴＳ  ３６．４２３のセクション８．２．１において記載されるような、ハンドオーバ準備（Handover  Preparation）である。なお、その開示は、参照により本願に援用される。
【０００８】
一般に、“ハンドオーバ”は、ｅＮＢにおける変更を伴おうとなかろうと、サービング基地局のＵＥサービングセルにおける何らかの変化をいう（１つのｅＮＢは、アンテナ構成に依存して複数のセルを提供することが可能である。）。“セル”は、１つのＥ−ＵＴＲＡＮアクセスポイントから地理的領域にわたって送信される（セル）識別からＵＥによって一意に特定され得るダウンリンク及び任意にアップリンクリソースの組み合わせとしての無線ネットワークオブジェクトをいう。セルは、ＦＤＤ又はＴＤＤモードにあってよい。本明細書において、“ハンドオーバ”は、通常、ＵＥが第１の“ソース”ｅＮＢに付随することをやめて、代わりに第２の“目標”ｅＮＢに付随するようになり、このようにして（通常、ＵＥが目標ｅＮＢのより近くに移動した結果として）ＵＥに対する責任をソースｅＮＢから目標ｅＮＢへ移すプロセスをいうが、本発明はこのシナリオに制限されない。
【０００９】
前述の議論は、これまでのところ、従前の無線通信システムにおける基地局に相当し且つ比較的広域のセル（“マクロセル”）において多くのＵＥにサービスを提供することができるｅＮＢについてのみ述べてきた。しかし、ＬＴＥプロジェクトの部分は、夫々数個のＵＥにのみサービスを提供するよう家庭又はスモールビジネスのためにより一層小さい地理的規模で基地局ノードを配置する可能性に焦点を当てられている。これはホームｅノードＢ又はＨｅＮＢであり、幾つかの他の提案の所謂“フェムトセル”に対応する。概して、ＨｅＮＢは、ＵＥへ／からのより強い信号を確かにするよう、又は単により安いタリフへ切り替えるよう必要とされるようなＨｅＮＢとマクロセルｅＮＢとの間のハンドオーバを実行するために、より大きなオーバレイされたマクロセル内の小さいセルを定義する。例えば、ＨｅＮＢの使用は、接続料金を減らすために、ユーザがその範囲内にある場合に好まれる。加えて、ＨｅＮＢは、地下又は大きな建物の範囲内のような特定の領域においてＵＥが到達され得ることを確かにするために使用される。よって、ＨｅＮＢは依然としてマクロセルによってオーバレイされるが、それはマクロセルにおける“穴”に対するカバレッジを提供することができる。
【００１０】
本願の意義の範囲内の基地局の他の例は、Ｅ−ＵＴＲＡＮリレーである。ＵＥの観点から、リレーノード（本明細書内で“リレー基地局”とも呼ばれる。）は無線アクセスネットワークの部分であり、ｅＮＢのように振る舞う。Ｅ−ＵＴＲＡＮは、ドナーｅＮＢと呼ばれる、ＲＮにサービスを提供するｅＮＢへ、Ｕｎインターフェースと呼ばれるＥ−ＵＴＲＡＮ無線インターフェースの改良版を介して無線接続するリレーノード（ＲＮ）を有することによって、リレーをサポートする。ＲＮは、Ｅ−ＵＴＲＡＮ無線インターフェース並びにＳ１及びＳ２インターフェースの無線プロトコルを終了する意図を持ったｅＮＢ機能性を支持する。概して、ｅＮＢのために定義される機能性、例えば、ＲＮＬ及びＴＮＬはまた、ＲＮに適用される。ｅＮＢ機能性に加えて、ＲＮはまた、ＤｅＮＢへ無線接続するために、ＵＥ機能性のサブセット、例えば、物理レイヤ、レイヤ−２、ＲＲＣ、及びＮＡＳ機能性をサポートする。リレーのためのサポートの詳細は、３ＧＰＰ  ＴＳ  ３６．３００、例えばセクション４．７において記載される。なお、その開示は、参照により本願に援用される。
【００１１】
然るに、本明細書における“基地局”は、ＵＥとの間の１以上のセルにおける無線送受信に関与する無線アクセスネットワークにおけるエンティティをいう。ＬＴＥにおいて、基地局はｅノードＢとしても知られる。
【００１２】
以下で、ハンドオーバプロシージャの例は、ＬＴＥという脈略の中で記載される。図１は、無線通信システム１００１を含むモバイルセルラーネットワークの例を表す。モバイルセルラーネットワークは、基地局１１００、１２００及び１３００を有する。図１で表されるように、基地局１１００、１２００及び１３００の夫々は複数のセルを制御する。図１で表されるような通信シナリオにおいて、ユーザ設備１０１０は目下、（ソース）基地局１１００のセルｓ（ソースセル）と通信リンクを介して通信している。ユーザ設備１０１０は、可能なハンドオーバ状況のためのハンドオーバ候補である複数の隣接セルによって囲まれている。
【００１３】
ユーザ設備１０１０は、ユーザ設備１０１０が目下接続されているソースセルｓを制御する基地局１１００から、エリア制限情報に従う測定プロシージャに関するセットアップ情報を受信する。ユーザ設備１０１０がソースセルｓから離れる場合に、ユーザ設備１０１０は、例えばシステム情報や仕様等によって設定される規則を含むセットアップ情報に従って測定リポートを基地局１１００へ送信するようトリガされる。ユーザ設備１０１０はまた、ＵＥ１０１０の移動以外の理由によるチャネル条件の変化等の他のシナリオにおいて、測定リポートを基地局１１００へ送信するようトリガされてよい。
【００１４】
ユーザ設備１０１０から受信された測定リポートに基づき、ソース基地局１１００は、基地局１１００の制御下の他のセル又は基地局１２００及び／若しくは１３００のような他の基地局の制御下のセルであってよい他のセルへユーザ設備１０１０をハンドオーバすべきか否かを決定する。ソース基地局１１００は、ユーザ設備１０１０をハンドオーバすると決定する場合は、ソースセルｓとＵＥとの間に目下確立されている通信リンクがハンドオーバされるべき目標セルを決定する。
【００１５】
モバイルセルラーネットワークは、ユーザ設備１０１０のサービス連続性を提供するハンドオーバメカニズムをサポートし、一方、それは、例えば、セルの複数の境界にまたがるユーザ設備のモビリティ又はネットワーク条件の変化（例えば、ユーザ設備１０１０によって使用される無線端末の品質が低下する場合）により、ソースセルｓから目標セルｔへハンドオーバされる。既知のＬＴＥモバイルセルラーネットワークでは、ソース基地局がハンドオーバプロシージャのために複数のセルを準備する基本的に２つの方法が存在する。これらは図２及び図３に表される。
【００１６】
図２で表される第１の既知のハンドオーバ準備プロシージャにおいて、ソース基地局１１００は、異なる目標基地局１２００及び１３００への多重ハンドオーバ準備プロシージャを開始する。実際のハンドオーバ準備プロシージャが開始される前に、ユーザ設備１０１０は、測定リポートをソース基地局１１００へ送信する。測定リポートに含まれる評価が、ハンドオーバが実行される必要があることを示すとの決定時に、ソース基地局１１００はハンドオーバ決定を行い、ハンドオーバリクエストメッセージを目標基地局１２００及び１３００へ送信する。よって、（１又はそれ以上の）測定リポートの受信時に、ソース基地局１１００は、必要ならば又は望まれるならば、ハンドオーバ決定を行い、ハンドオーバリクエストメッセージに示される目標セルｔを制御する複数の目標基地局１２００及び１３００へハンドオーバリクエストメッセージを送信することによって多重ハンドオーバ準備プロシージャを開始する。目標基地局１２００及び１３００は、ハンドオーバリクエストメッセージにおいて示される各々の目標セルｔに対してアドミッション制御を行う。その後、目標基地局１２００及び１３００は、目標セルｔに対するアドミッション制御に基づき、許可されたＥ−ＲＡＢのリストをもってソース基地局１１００に応答する。
【００１７】
Ｅ−ＲＡＢは、Ｓ１ベアラ及び対応するデータ無線ベアラの接続を一意に特定する。Ｅ−ＲＡＢが存在する場合に、このＥ−ＲＡＢとＮＡＳ（Non  Access  Stratum）のＥＰＳ（Evolved  Packet  System）ベアラとの間には一対一のマッピングが存在する。“ベアラ”の概念は、ＬＴＥのようなパケットベースのネットワークにおいてＱｏＳ（Quality  of  Service）を達成するために重要である。一般に、“ベアラ”は、所与のサービスが提供されることを可能にするように、定義される容量、遅延及びビットエラーレート等の情報伝送経路と考えられ得る。様々なタイプ又はレベルのベアラが確立され得る。例えば、（ＬＴＥにおける）無線ベアラは、ＵＥとｅＵＴＲＡＮとの間のユーザデータの伝送のためにレイヤ２によって提供されるサービスである。
【００１８】
第２の既知のハンドオーバプロシージャは図３で表される。図３は、ソース基地局１１００が、同じ目標基地局１２００の制御下の複数のセルに関するハンドオーバ準備情報をハンドオーバ準備のためにその目標基地局１２００へ送信するハンドオーバ準備プロシージャを表す。図２に関連して既に説明されたように、ユーザ設備１０１０は、測定リポートをソース基地局１１００へ送信する。測定リポートに含まれる評価に応じて、ソース基地局１１００はハンドオーバに関して決定する。よって、測定リポートの受信時に、ソース基地局１１００は、必要ならば又は望まれるならば、ハンドオーバ決定を行い、ハンドオーバリクエストメッセージを目標基地局１２００へ送信することによってハンドオーバ準備プロシージャを開始する。ハンドオーバリクエストメッセージは、目標基地局１２００の制御下の目標セルｔに関する情報を含み、更に、無線リソース制御（ＲＲＣ）コンテキストに関する情報を含む。ＲＲＣコンテキストは、ＲＲＣ接続再設のために目標基地局１２００で必要とされる再設情報を含む。よって、ソース基地局１１００から目標基地局１２００へ送信されるハンドオーバリクエストメッセージは、目標セルｔを示すのみならず、ユーザ設備１０１０が目標セルｔとのハンドオーバ失敗の場合にフォールバックする候補セルである再設セルＲ１、Ｒ２（図１参照）のリストも含む。図３で表される既知のハンドオーバプロシージャにおいて、目標基地局１２００は、ハンドオーバリクエストメッセージにおいて唯一示されている目標セルｔに対してアドミッション制御を行う。次いで、目標基地局１２００は、目標セルｔに対して行われたアドミッション制御に基づき、許可されたＥ−ＲＡＢのリストをもってソース基地局１１００に応答する。
【００１９】
このように、例えば３ＧＰＰモバイル通信ネットワークのソース基地局は、異なる目標基地局への多重ハンドオーバ準備プロシージャを開始することができるとともに、１つのハンドオーバ準備の中で、ハンドオーバ準備のために同じ目標基地局の下の複数のセルについてハンドオーバ準備情報を転送することができる。
【発明の概要】
【発明が解決しようとする課題】
【００２０】
しかし、このようにしてハンドオーバ失敗及びコールドロップを引き起こすハンドオーバプロシージャにおける問題が存在する。これは、ＱｏＳ及びユーザ経験品質を低下させる。よって、本発明の目的は、例えばコールドロップの低減により高められたＱｏＳ及びユーザ経験品質を有する改善されたハンドオーバプロシージャを提供することである。
【課題を解決するための手段】
【００２１】
本発明の態様に従って、複数の基地局及びユーザ設備を有するモバイル通信システムにおいて、前記ユーザ設備と前記複数の基地局の中のソース基地局との間で確立される通信リンクのハンドオーバを築く方法は：
ハンドオーバのための前記複数の基地局のセルの特性の測定を含む測定リポートに基づき、前記複数の基地局の中の少なくとも１つの候補ハンドオーバ基地局の再設セル及び目標セルを選択し、
前記目標セル及び前記再設セルを示すハンドオーバリクエストを前記ソース基地局から前記少なくとも１つの候補ハンドオーバ基地局へ送信することによって、ハンドオーバ準備を開始し、
前記目標セルに対して及び前記再設セルに対してアドミッション制御を行い、
前記目標セルに対する及び前記再設セルに対する前記アドミッション制御を表すフィードバック情報を含むハンドオーバリクエスト肯定応答を前記少なくとも１つの候補ハンドオーバ基地局から前記ソース基地局へ送信することによって、前記ハンドオーバを開始し、
前記目標セルに対する及び前記再設セルに対する前記アドミッション制御を表す前記フィードバック情報により前記ユーザ設備を更新する。
【００２２】
本発明者は、例えば、再設のために準備されるセルがハンドオーバにおいてユーザ設備にとって適切でない場合に、ハンドオーバ失敗及びコールドロップを引き起こすハンドオーバプロシージャにおける問題が存在することがあると気付いた。例えば、再設セルは、制限された利用可能なリソースのために、ユーザ設備を承認することができないことがある。ユーザ設備がハンドオーバ失敗の間又はハンドオーバ失敗の後にこのような再設セルにおいてＲＲＣ接続を再設しようとする場合に、たとえユーザ設備がそのセルへ接続することができるとして、ユーザ設備は再設の直ぐ後で他のセルへハンドオーバされる必要がある。これは、ＱｏＳ及びユーザ経験品質を低下させる。
【００２３】
本発明者は、本発明の実施形態に従って追加のフィードバック情報を導入することによって、例えばＬＴＥ又はＬＴＥ−Ａｄｖａｎｃｅｄのようなモバイル通信システムにおけるハンドオーバ準備プロシージャが増強され得ると気付いた。本発明の実施形態に従って、サービング基地局は、目標セル及び再設セルの利用可能性に関して少なくとも１つの候補ハンドオーバ基地局からフィードバックを収集し、この情報によりハンドオーバにおいてユーザ設備を更新し、結果としてハンドオーバの成功率を高めるよう構成される。
【００２４】
前記少なくとも１つの候補ハンドオーバ基地局は、１又はそれ以上の目標基地局であってよい。目標基地局は、目標セルを制御する基地局である。同様に、再設基地局は、再設セルを制御する基地局である。しかし、参照の容易のために、本明細書は、再設セルを制御する基地局についても、語“目標基地局”を用いる。前記少なくとも１つの候補ハンドオーバ基地局が１つの目標基地局である場合に、然るべくただ１つのハンドオーバリクエスト及びハンドオーバリクエスト肯定応答が存在する。なお、前記少なくとも１つの候補ハンドオーバ基地局が２つ（又はそれ以上）の目標基地局である場合に、対応する数のハンドオーバリクエスト及びハンドオーバリクエスト肯定応答が提供されてよい。望ましくは、ハンドオーバリクエストメッセージは、目標基地局ごとに同じである（すなわち、同じ内容を有する）が、ハンドオーバリクエスト肯定応答メッセージは、個別のフィードバック情報を含むように目標基地局ごとに異なる。
【００２５】
アドミッション制御を行うとのここでの言及は、通信のためにリソースを設定する候補基地局でのプロシージャへの参照を含む。望ましい実施形態において、アドミッション制御の間、新たな無線ベアラ確立リクエストの承認及び／又は拒絶が制御される。アドミッション制御は、Ｅ−ＵＴＲＡＮにおける全体的なリソース状況、ＱｏＳ要求、優先レベル、進行中のセッションの提供されるＱｏＳ、及び新たな無線ベアラリクエストのＱｏＳ要求に依存してよい。
【００２６】
本発明の実施形態に従って、前記再設セルに対するアドミッション制御は、前記目標セルに対するアドミッション制御と略同時に行われ、このようにして、前記目標セルに対するハンドオーバ失敗の場合にアドミッション制御時間を節約する。すなわち、前記再設セルに対するアドミッション制御及び該アドミッション制御に関するフィードバック情報によるＵＥの対応する更新は、ＵＥがハンドオーバプロシージャを開始する前に行われる。よって、ＵＥは、前記再設セルに対するアドミッション制御を表すフィードバック情報により更新されるのと略同時に、前記目標セルに対するアドミッション制御を表すフィードバック情報により更新される。よって、本発明の実施形態のハンドオーバ準備の拡張は、改善されたＱｏＳ及びユーザ経験品質に貢献する。本発明の実施形態に従うフィードバックメカニズムは、接続再設の成功率を改善し、結果として、ハンドオーバ失敗及び／又は再設失敗による全体的なコールドロップ率を低減する。このようにして、ＱｏＳ及びユーザ経験品質は改善される。
【００２７】
既知のスキームは、ソース基地局が目標基地局に、目標セル及び再設セルを含む複数のセルに関する情報を提供することを可能にする。ソース基地局へ送信される肯定応答メッセージにおいて、既知のハンドオーバ準備スキームの目標基地局は、目標セルに対するアドミッション制御にのみ基づきフィードバックを提供する。本発明者は、コールドロップ及び更なるハンドオーバプロシージャの必要性のリスクが、目標基地局が再設の場合に適切なセルに関するフィードバックを提供しないという事実に関連すると気付いた。本発明者は、幾つかの場合に、再設のために準備されるセルがユーザ設備のハンドオーバに適さないことがあると気付いた。例えば、セルは、限られた利用可能なリソースのために、ユーザ設備を承認することができない。ユーザ設備がハンドオーバ失敗の間／後にこのようなセルにおいてＲＲＣ接続を再設しようとする場合に、ユーザ設備はそのセルへ接続することができるが、再設の直ぐ後に他のセルへハンドオーバされる必要がある。
【００２８】
本発明の実施形態に従って、目標基地局は、ＵＥのためのハンドオーバ準備を開始するソース基地局へ、肯定応答においてフィードバックを提供する。フィードバックは、再設リストに含まれる望ましくは全てのセルに関する、許可Ｅ−ＲＡＢリストのようなアドミッション制御情報を含んでよい。加えて、ソース基地局は、ＵＥに、望ましくはハンドオーバメッセージにおいて、ハンドオーバ準備フェーズの間に望ましくは全ての目標基地局から収集されるフィードバック情報に基づく情報を提供してよい。望ましい実施形態において、ハンドオーバ準備プロシージャの間に目標基地局から送信されるハンドオーバリクエスト肯定応答に含まれるフィードバック情報は：
・目標セルに関するアドミッション制御情報、及び
・再設リストに含まれるセルに関する追加情報、望ましくはアドミッション制御情報
を含む。フィードバック情報は、再設のための適切なセルのリストであってよく、次いで、ＵＥがハンドオーバ失敗により無線接続を再設する必要がある場合に、ＵＥによって使用されてよい。
【００２９】
“再設リストに含まれるセルに関する追加情報”は、再設セルに対して行われたアドミッション制御を表すアドミッション制御情報であってよい。なお、本発明の実施形態は、目標セルに対する及び再設セルに対するアドミッション制御を表すフィードバック情報に制限されない。フィードバック情報はまた、ハンドオーバのための再設セルの利用可能性及び／又は適切性を示す、再設セルに関する他の追加情報を表してよい。
【００３０】
本発明の態様は、ハンドオーバリクエストが同じ目標基地局の目標セル及び再設セルを示すシナリオに関して説明されるが、本発明の実施形態は、ハンドオーバリクエストが再設セルのみを示すシナリオも包含する点に留意すべきである。すなわち、本発明の実施形態は、ソース基地局が目標セル（及び任意に再設セル）を示す第１のハンドオーバリクエストを第１の目標基地局へ送信し、且つ、再設セルのみを示す第２のハンドオーバリクエストを第２の目標基地局へ送信するシナリオにも適用可能である。第１の目標基地局は、目標セルに対して（及び任意に再設セルに対して）アドミッション制御を行い、第２の目標基地局は、再設セルに対してのみアドミッション制御を行う。第１及び第２の目標基地局は、然るべくユーザ設備を更新するために、アドミッション制御に関する各々のフィードバック情報をソース基地局へ送信する。よって、語“目標基地局”は１つの目標基地局に制限されず、更に、２つの異なる目標基地局、すなわち、目標セルを制御する目標基地局、及び再設セルを制御する他の目標基地局に関すると理解されるべきである。
【００３１】
このように、本発明の実施形態は、ソース基地局が２つ（又はそれ以上）の目標基地局の目標セル及び再設セルを選択するシナリオも包含する。然るに、本発明の実施形態の方法は、ハンドオーバのための前記複数の基地局のセルの特性の測定を含む測定リポートに基づき前記複数の基地局の中の少なくとも１つの目標基地局の再設セル及び目標セルを選択し、前記目標セル及び前記再設セルを示すハンドオーバリクエストを前記ソース基地局から前記少なくとも１つの目標基地局へ送信することによってハンドオーバ準備を開始し、前記目標セルに対して及び前記再設セルに対してアドミッション制御を行い、前記目標セルに対する及び前記再設セルに対する前記アドミッション制御を表すフィードバック情報を含むハンドオーバリクエスト肯定応答を前記少なくとも１つの目標基地局から前記ソース基地局へ送信することによって前記ハンドオーバを開始し、前記目標セルに対する及び前記再設セルに対する前記アドミッション制御を表す前記フィードバック情報により前記ユーザ設備を更新する。
【００３２】
また、本発明の実施形態は、ハンドオーバリクエストが１よりも多い目標セルを示すこと、及び／又はハンドオーバリクエストが１よりも多い再設セルを示すことも包含する点に留意すべきである。然るに、本発明の実施形態の方法は、ハンドオーバのための前記複数の基地局のセルの特性の測定を含む測定リポートに基づき前記複数の基地局の中の少なくとも１つの目標基地局の少なくとも１つの再設セル及び少なくとも１つの目標セルを選択し、前記少なくとも１つの目標セル及び前記少なくとも１つの再設セルを示すハンドオーバリクエストを前記ソース基地局から前記少なくとも１つの目標基地局へ送信することによってハンドオーバ準備を開始し、前記少なくとも１つの目標セルに対して及び前記少なくとも１つの再設セルに対してアドミッション制御を行い、前記少なくとも１つの目標セルに対する及び前記少なくとも１つの再設セルに対する前記アドミッション制御を表すフィードバック情報を含むハンドオーバリクエスト肯定応答を前記少なくとも１つの目標基地局から前記ソース基地局へ送信することによって前記ハンドオーバを開始し、前記少なくとも１つの目標セルに対する及び前記少なくとも１つの再設セルに対する前記アドミッション制御を表す前記フィードバック情報により前記ユーザ設備を更新する。
【００３３】
更に、前記測定リポートに基づき前記複数の基地局の中の少なくとも１つの候補ハンドオーバ基地局の目標セル及び再設セルを選択するステップは、望ましくは、少なくとも１つの測定リポートに基づき前記複数の基地局の中の少なくとも１つの候補ハンドオーバ基地局の目標セル及び再設セルを選択してよい点に留意すべきである。然るに、ソース基地局は、目標セル及び／又は再設セルを選択するために複数の測定リポートを考慮してよい。
【００３４】
望ましい態様において、前記フィードバック情報により前記ユーザ設備を更新するステップは、
前記フィードバック情報に基づきハンドオーバセルのハンドオーバリストを準備し、前記目標セルは前記ハンドオーバリストのメインエントリであり、前記再設セルは前記ハンドオーバリストの予備エントリであり、
前記ユーザ設備を更新するために前記ソース基地局から前記ユーザ設備へ前記ハンドオーバセルのハンドオーバリストを送信する。
【００３５】
ソース基地局は、ハンドオーバリストを準備することによって、目標基地局から受け取ったフィードバック情報を処理してよい。ハンドオーバリストは、ユーザ設備がハンドオーバを実行すべき優先度を反映する順序において目標セル及び再設セルをリストアップする。よって、メインエントリは１番目のエントリであってよく、予備エントリは２番目のエントリであってよい。１よりも多い予備エントリが存在する場合は、ｎ番目の予備エントリは、ハンドオーバリストのｎ＋１番目のエントリであってよい。すなわち、ユーザ設備は、ハンドオーバリストにおいてメインエントリである目標セルへのハンドオーバを開始する。その後、ユーザ設備は、ハンドオーバリストにおいて予備エントリである再設セルへのハンドオーバを開始してよい。ユーザ設備は、例えば、メインエントリへのハンドオーバ失敗時に、又はメインエントリの目標セルがユーザ設備から目標基地局へ送信された同期メッセージに応答していない所定の期間の経過時に、予備エントリへのハンドオーバを開始してよい。ソース基地局でフィードバック情報を処理することによって、ユーザ設備におけるハードウェア／ソフトウェアの形での追加の処理手段は回避され得る。更に、容易に準備されたハンドオーバリストをユーザ設備に提供することによって、全ての必要な情報がユーザ設備に存在するので、ユーザ設備は速やかに目標セル及び再設セルへのハンドオーバを開始することができる。
【００３６】
望ましい態様において、前記フィードバック情報により前記ユーザ設備を更新するステップは、
前記フィードバック情報を前記ソース基地局から前記ユーザ設備へ転送し、
前記フィードバック情報に基づきハンドオーバセルのハンドオーバリストを準備し、前記目標セルは前記ハンドオーバリストのメインエントリであり、前記再設セルは前記ハンドオーバリストの予備エントリである。
【００３７】
ソース基地局は、更なる処理のためにフィードバック情報をユーザ設備へ転送してよい。ユーザ設備は、ハンドオーバリストを準備することによって、フィードバック情報を処理してよい。ハンドオーバリストは、ユーザ設備がハンドオーバを実行する優先度を反映する順序において目標セル及び再設セルをリストアップする。すなわち、ユーザ設備は、ハンドオーバリストにおいてメインエントリである目標セルへのハンドオーバを開始する。その後、ユーザ設備は、ハンドオーバリストにおいて予備エントリである再設セルへのハンドオーバを開始してよい。ユーザ設備は、例えば、メインエントリへのハンドオーバ失敗時に、又はメインエントリの目標セルがユーザ設備から目標基地局へ送信された同期メッセージに応答していない所定の期間の経過時に、予備エントリへのハンドオーバを開始してよい。フィードバック情報をソース基地局からユーザ設備へ転送することによって、ソース基地局におけるハードウェア／ソフトウェアの形での追加の処理手段は回避され得る。更に、ハンドオーバリストをユーザ設備において準備することによって、ユーザ設備に特有の特性は適切に考慮され得る。更に、ユーザ設備は、目標セルによるハンドオーバを開始する間にハンドオーバリストを準備してよく、このようにして、ハンドオーバ失敗が起こる場合にハンドオーバリストを用意してある。目標セルへのハンドオーバの開始と、ハンドオーバ失敗が起きた場合のためのハンドオーバリストの準備とを同時に行うことによって、ハンドオーバ失敗と接続再設との間の期間は短縮されて、コールドロップのリスクを低減する。
【００３８】
望ましい態様において、当該方法は、更に、
前記通信リンクを前記目標セルへハンドオーバし、
前記通信リンクを前記目標セルへハンドオーバするハンドオーバ失敗を検出し、
前記通信リンクを前記再設セルへハンドオーバする。
【００３９】
望ましくは、前記通信リンクをハンドオーバするステップは、前記ハンドオーバリストのエントリに依存する。すなわち、前記通信リンクをハンドオーバする第１のステップは、ハンドオーバリストのメインエントリに関連し、前記通信リンクをハンドオーバする第２のステップは、ハンドオーバリストの予備エントリに関連する。ハンドオーバリストに１よりも多い予備エントリが存在する場合は、当該方法は、ハンドオーバリストのそれら１よりも多い予備エントリに関して通信リンクをハンドオーバする更なるステップを有する。本明細書の意義範囲内における“ハンドオーバ失敗”はまた、同期メッセージに対する応答が受信されない場合をいう。
【００４０】
望ましい態様において、前記フィードバック情報は、
前記目標セルの及び／又は前記再設セルの利用可能性に関する情報、及び／又は
前記再設セルの許可された無線ベアラのリスト
を含む。
【００４１】
フィードバック情報は、ソース基地局から他の（目標、リレー、中間、ホームゲートウェイ等）基地局へ通信リンクを渡すために必要とされ得るあらゆる種類の情報を含んでよい。望ましくは、再設セルに対して実行されるアドミッション制御プロシージャは、目標セルに対して実行される既知のアドミッション制御プロシージャと同じアドミッション制御プロシージャである。然るに、再設セルに対するアドミッション制御を表すフィードバック情報は、望ましくは、目標セルに対するアドミッション制御を表すフィードバック情報と同じであり、すなわち、同じパラメータ、アルゴリズム等を有する。望ましくは、フィードバック情報は、ユーザ設備に再設セルの利用可能性を示して、ユーザ設備が利用できない再設セルへ接続しようとするシナリオを回避する。更なる望ましい実施形態において、フィードバック情報は、セットアップされるべきＥ−ＲＡＢ、Ｅ−ＲＡＢのＱｏＳ要求、例えばＣＳＧ（Closed  Subscriber  Group）におけるメンバーシップの中の少なくとも１つを表す情報を含む。語“利用可能”及び“適切”は、セルが、例えば、通信リンクを受け入れ且つその通信リンクにおいて信頼できる通信を提供するのに十分なリソースを有する状況をいう。セルの利用可能性及び／又は適切性は、セットアップされるべきＥ−ＲＡＢ、Ｅ−ＲＡＢのＱｏＳ要求、例えばＣＳＧにおけるメンバーシップのようなパラメータに関して決定されてよい。
【００４２】
望ましい態様において、当該方法は、
前記測定リポートに基づき、前記少なくとも１つの候補ハンドオーバ基地局の、前記再設セルを含む複数の再設セル、及び前記目標セルを選択し、
前記目標セル及び前記複数の再設セルを示す前記ハンドオーバリクエストを前記ソース基地局から前記少なくとも１つの候補ハンドオーバ基地局へ送信することによって、前記ハンドオーバ準備を開始し、
前記目標セルに対して及び前記複数の再設セルに対してアドミッション制御を行い、
前記目標セルに対する及び前記複数の再設セルに対する前記アドミッション制御を表すフィードバック情報を含む前記ハンドオーバリクエスト肯定応答を前記少なくとも１つの候補ハンドオーバ基地局から前記ソース基地局へ送信することによって、前記ハンドオーバを開始し、
前記目標セルに対する及び前記複数の再設セルに対する前記アドミッション制御を表す前記フィードバック情報により前記ユーザ設備を更新するために、前記フィードバック情報を前記ソース基地局から前記ユーザ設備へ転送する。
【００４３】
望ましい態様において、当該方法は、更に、
前記フィードバック情報に基づきハンドオーバセルのハンドオーバリストを準備し、
前記目標セルは前記ハンドオーバリストのメインエントリであり、前記複数の再設セルの中の第１の再設セルは前記ハンドオーバリストの第１の予備エントリであり、前記複数の再設セルの中の第２の再設セルは前記ハンドオーバリストの第２の予備エントリである。
【００４４】
先に既に述べたように、本発明の実施形態は、１つの再設セルによるシナリオに制限されない。本発明の実施形態のハンドオーバ準備方法は、ユーザ設備に複数の再設セルに関する更新を提供して、更に、利用可能な再設セルに関するユーザ設備の認識を改善し、コールドロップの割合を低減する。
【００４５】
望ましい態様において、前記少なくとも１つの候補ハンドオーバ基地局は単一の目標基地局であり、当該方法は、
前記測定リポートに基づき、前記目標基地局の前記再設セル及び前記目標セルを選択し、
前記ハンドオーバリクエストを前記ソース基地局から前記目標基地局へ送信することによって、前記ハンドオーバ準備を開始し、
前記目標基地局で前記目標セルに対して及び前記再設セルに対してアドミッション制御を行い、
前記ハンドオーバリクエスト肯定応答を前記目標基地局から前記ソース基地局へ送信することによって、前記ハンドオーバを開始し、
前記目標基地局の前記再設セルに対する及び前記目標セルに対する前記アドミッション制御を表す前記フィードバック情報により前記ユーザ設備を更新する。
【００４６】
望ましい態様において、前記少なくとも１つの候補ハンドオーバ基地局は、単一の目標基地局である。目標基地局は、１又は複数の再設セルを制御してよい。そのような実施形態では、ソース基地局と目標基地局との間のハンドオーバ準備通信は、前記ハンドオーバリクエスト及び前記ハンドオーバリクエスト肯定応答しか有さず、よって、非常に簡単且つ高速なハンドオーバ準備を提供する。
【００４７】
望ましい態様において、前記少なくとも１つの候補ハンドオーバ基地局は第１の目標基地局及び第２の目標基地局を有し、前記目標セルは前記第１の目標基地局の第１の目標セルであり、前記再設セルは前記第１の目標基地局の第１の再設セルであり、前記ハンドオーバリクエストは前記第１の目標基地局の第１のハンドオーバリクエストであり、前記ハンドオーバリクエスト肯定応答は前記第１の目標基地局の第１のハンドオーバリクエスト肯定応答であり、前記フィードバック情報は前記第１の目標基地局の第１のフィードバック情報であり、当該方法は更に、
前記測定リポートに基づき、前記複数の基地局の中の前記第２の目標基地局の第２の再設セル及び第２の目標セルを選択し、
前記第２の目標セル及び前記第２の再設セルを示す第２のハンドオーバリクエストを前記ソース基地局から前記第２の目標基地局へ送信することによって、前記ハンドオーバ準備を開始し、
前記第２の目標セルに対して及び前記第２の再設セルに対してアドミッション制御を行い、
前記第２の目標セルに対する及び前記第２の再設セルに対する前記アドミッション制御を表す第２のフィードバック情報を含む第２のハンドオーバリクエスト肯定応答を前記第２の目標基地局から前記ソース基地局へ送信することによって、前記ハンドオーバを開始し、
前記第２の目標セルに対する及び前記第２の再設セルに対する前記アドミッション制御を表す前記第２のフィードバック情報により前記ユーザ設備を更新する。
【００４８】
先に既に述べたように、本発明の実施形態は、１つの目標基地局によるシナリオに制限されない。ユーザ設備は、少なくとも１つの目標基地局の少なくとも１つの目標セル及び少なくとも１つの再設セルに関して更新されることが望ましい。ユーザ設備は、第１及び第２の目標基地局から受け取った第１及び第２のフィードバック情報によって更新されてよい。また、ユーザ設備は、第１及び第２の目標基地局からの第１及び第２のフィードバック情報に基づく複合フィードバック情報によって更新されることが望ましい。望ましくは、ソース基地局は、複合フィードバック情報をユーザ設備に提供するよう第１及び第２のフィードバック情報を処理する。ソース基地局及び／又はユーザ設備は、複合フィードバック情報に基づきハンドオーバリストを準備してよい。フィードバック情報によりユーザ設備を更新する場合に１つのみならず複数の目標基地局を考慮することによって、利用可能な再設セルに関するユーザ設備の認識は更に改善され得、よってコールドロップの割合を低減する。
【００４９】
望ましい態様において、当該方法は、更に、
前記ハンドオーバリクエストを前記ソース基地局から中間基地局へ送信することによって、前記ハンドオーバ準備を開始し、
前記ハンドオーバリクエストを前記中間基地局から前記少なくとも１つの候補ハンドオーバ基地局へ転送する。
【００５０】
望ましい態様において、当該方法は、更に、
前記ハンドオーバリクエスト肯定応答を前記少なくとも１つの候補ハンドオーバ基地局から中間基地局へ送信し、
前記ハンドオーバリクエスト肯定応答を前記中間基地局から前記ソース基地局へ転送する。
【００５１】
望ましい態様において、当該方法は、更に、
中間基地局のセルに対してアドミッション制御を行い、
前記少なくとも１つの候補ハンドオーバ基地局の前記再設セルに対する及び前記目標セルに対するアドミッション制御を表すフィードバック情報と、前記中間基地局の前記セルに対するアドミッション制御を表すフィードバック情報とを含む複合ハンドオーバリクエスト肯定応答を前記中間基地局から前記ソース基地局へ送信することによって、前記ハンドオーバを開始し、
前記少なくとも１つの候補ハンドオーバ基地局の前記再設セルに対する及び前記目標セルに対するアドミッション制御を表すフィードバック情報により、及び前記中間基地局の前記セルに対するアドミッション制御を表すフィードバック情報により、前記ユーザ設備を更新する。
【００５２】
望ましい態様において、当該方法は、更に、
前記測定リポートに基づき中間基地局のセルを選択し、
前記少なくとも１つの候補ハンドオーバ基地局の前記再設セル及び前記目標セル並びに前記中間基地局の前記セルを示す複合ハンドオーバリクエストを前記ソース基地局から前記中間基地局へ送信することによって、前記ハンドオーバ準備を開始する。
【００５３】
望ましくは、本発明の実施形態のハンドオーバ準備方法は、ＬＴＥ及びＬＴＥ−Ａｄｖａｎｃｅｄに適用可能である。なお、本明細書の意義範囲内における“基地局”は、ｅＮＢに制限されず、リレー、フェムト、又は他の、望ましくは無線の、通信システムの装置にも言及する。望ましい実施形態において、当該方法は、“中間基地局”がドナーｅＮＢに関し且つ“目標基地局”がリレーに関するリレーネットワークにおいて適用可能である。語“中間基地局のセル”は、目標セル及び／又は再設セルに言及してよい。更なる望ましい実施形態において、本発明の実施形態の方法はまた、異なる特性（例えば、様々なｅノードＢ、ホームｅノードＢ、ｅ−ＵＴＲＡＮリレー）を備えた複数のセルから成るアセスネットワークに適用可能であってよい。然るに、本発明の実施形態はまた、１（又はそれ以上）の目標セル及び１（又はそれ以上）の再設セルに対するアドミッション制御を表すフィードバック情報によりユーザ設備を更新するステップを有し、前記目標セルが第１の特性（例えば、様々なｅノードＢ、ホームｅノードＢ、ｅ−ＵＴＲＡＮリレー）を有してよく、前記再設セルが第２の特性（例えば、様々なｅノードＢ、ホームｅノードＢ、ｅ−ＵＴＲＡＮリレー）を有してよく、前記第１の特性及び前記第２の特性が異なるハンドオーバ準備方法も包含する。
【００５４】
他の態様において、本発明は、複数の基地局及びユーザ設備を有し、前記ユーザ設備と前記複数の基地局の中のソース基地局との間に通信リンクが確立されるモバイル通信システムであって、
ハンドオーバのための前記複数の基地局のセルの特性の測定を含む測定リポートに基づき、前記複数の基地局の中の少なくとも１つの候補ハンドオーバ基地局の再設セル及び目標セルを選択するセル選択ユニットと、
前記目標セル及び前記再設セルを示すハンドオーバリクエストを前記ソース基地局から前記少なくとも１つの候補ハンドオーバ基地局へ送信することによって、ハンドオーバ準備を開始するハンドオーバ準備ユニットと、
前記目標セルに対して及び前記再設セルに対してアドミッション制御を行うアドミッション制御ユニットと、
前記目標セルに対する及び前記再設セルに対する前記アドミッション制御を表すフィードバック情報を含むハンドオーバリクエスト肯定応答を前記少なくとも１つの候補ハンドオーバ基地局から前記ソース基地局へ送信することによって、前記ハンドオーバを開始するハンドオーバユニットと、
前記目標セルに対する及び前記再設セルに対する前記アドミッション制御を表す前記フィードバック情報により前記ユーザ設備を更新する更新ユニットと
を有するハンドオーバ制御ユニットを有する、モバイル通信システムに関する。
【００５５】
他の態様において、本発明は、複数の基地局及びユーザ設備を有し、前記ユーザ設備と前記複数の基地局の中のソース基地局との間に通信リンクが確立されるモバイル通信システムにおいて、ソース基地局として使用される基地局であって、
ハンドオーバのための前記複数の基地局のセルの特性の測定を含む測定リポートに基づき、前記複数の基地局の中の少なくとも１つの候補ハンドオーバ基地局の再設セル及び目標セルを選択するセル選択ユニットと、
前記目標セル及び前記再設セルを示すハンドオーバリクエストを前記少なくとも１つの候補ハンドオーバ基地局へ送信することによって、ハンドオーバ準備を開始するハンドオーバリクエスト送信ユニットと、
前記目標セルに対する及び前記再設セルに対するアドミッション制御を表すフィードバック情報を含むハンドオーバリクエスト肯定応答を前記少なくとも１つの候補ハンドオーバ基地局から受信すると、前記ハンドオーバを開始するハンドオーバユニットと、
前記目標セルに対する及び前記再設セルに対する前記アドミッション制御を表す前記フィードバック情報により前記ユーザ設備を更新する更新ユニットと
を有する基地局に関する。
【００５６】
他の態様において、本発明は、複数の基地局及びユーザ設備を有し、前記ユーザ設備と前記複数の基地局の中のソース基地局との間に通信リンクが確立されるモバイル通信システムにおいて、候補ハンドオーバ基地局として使用される基地局であって、
ハンドオーバのための当該候補ハンドオーバ基地局の再設セル及び目標セルを示すハンドオーバリクエストを前記ソース基地局から受信すると、ハンドオーバ準備を開始するハンドオーバ準備ユニットと、
前記目標セルに対して及び前記再設セルに対してアドミッション制御を行うアドミッション制御ユニットと、
前記目標セルに対する及び前記再設セルに対する前記アドミッション制御を表すフィードバック情報を含むハンドオーバリクエスト肯定応答を前記ソース基地局へ送信することによって、前記ハンドオーバを開始するハンドオーバリクエスト肯定応答送信ユニットと
を有する基地局に関する。
【００５７】
他の態様において、本発明は、本発明のソース基地局として使用され且つ本発明の目標基地局として使用される基地局に関する。
【００５８】
他の態様において、本発明は、モバイル通信システムのためのユーザ設備であって、前記モバイル通信システムは複数の基地局及び前記ユーザ設備を有し、前記ユーザ設備と前記複数の基地局の中のソース基地局との間に通信リンクが確立される、ユーザ設備において、
ハンドオーバのための前記複数の基地局のセルの特性の測定を含む測定リポートを前記ソース基地局へ前記通信リンクを介して送信する測定リポート送信ユニットと、
前記ハンドオーバのための少なくとも１つの候補ハンドオーバ基地局の再設セルに対する及び目標セルに対するアドミッション制御を表すフィードバック情報を受信するフィードバック情報受信ユニットと
を有するユーザ設備に関する。
【００５９】
他の態様において、本発明は、実行される場合に、コンピュータに本発明の方法を実行させるプログラムコードを記憶したコンピュータ可読媒体に関する。他の態様において、本発明は、実行される場合に、コンピュータに本発明の方法を実行させるプログラムコードを有するコンピュータソフトウェアに関する。
【００６０】
以下で、単に一例として、本発明の望ましい実施形態を例示する図面が参照される。
【図面の簡単な説明】
【００６１】
【図１】ＬＴＥの無線通信アーキテクチャを表す。
【図２】既知のハンドオーバ準備プロシージャの第１の例を表す。
【図３】既知のハンドオーバ準備プロシージャの第２の例を表す。
【図４】本発明のハンドオーバ準備方法の実施形態のフロー図である。
【図５】本発明に従うハンドオーバ準備プロシージャの第１実施形態を表す。
【図６】本発明に従うハンドオーバ準備プロシージャの第２実施形態を表す。
【図７】本発明に従う無線通信システムの実施形態を概略的に表す。
【図８】本発明に従うソース基地局及び目標基地局の実施形態を概略的に表す。
【図９】本発明に従うユーザ設備及びソース／目標基地局の実施形態を概略的に表す。
【発明を実施するための形態】
【００６２】
図４は、モバイル通信システムの基地局によって実行される本発明のハンドオーバ準備プロシージャの望ましい実施形態を表す。ステップＳ１で、ソース基地局１００は、ユーザ設備１０から測定リポートを受信する。ステップＳ２で、ソース基地局１００は、ハンドオーバ準備のために目標セルｔ及び少なくとも１つ、望ましくは１よりも多い再設セルｒ１，ｒ２を選択する。ステップＳ３で、ソース基地局１００は、１又はそれ以上の目標基地局２００，３００に対するハンドオーバ準備プロシージャを開始する。ハンドオーバ準備プロシージャは、望ましくは、以下で説明されるように、ハンドオーバリクエストメッセージを１又はそれ以上の目標基地局２００，３００へ送信することによって開始される。
【００６３】
ステップＳ４で、ソース基地局１００は、目標基地局２００，３００からフィードバックを受信する。フィードバックは、望ましくは、ハンドオーバリクエスト肯定応答メッセージに含まれる。本発明に従って、このフィードバックは、目標セルｔのアドミッション制御に関する情報を含むのみならず、１又はそれ以上の再設セルｒ１，ｒ２に対するアドミッション制御に関する情報も含む。然るに、ソース基地局１００は、ステップＳ５で、再設のための適切なセルｒ１，ｒ２のリストによりユーザ設備１０を更新する。再設のための適切なセルｒ１，ｒ２のリストの決定は、ソース基地局１００又はユーザ設備１０自体において実行されてよい。
【００６４】
よって、目標セルｔの及び１又はそれ以上の再設セルｒ１，ｒ２のアドミッション制御に関するフィードバック情報により更新されるユーザ設備１０は、ハンドオーバ失敗の場合に、再設セルｒ１，ｒ２の中の１つへ速やかにフォールバックすることができる。ユーザ設備１０は、１又はそれ以上の再設セルｒ１，ｒ２へのハンドオーバに必要な全ての情報がユーザ設備１０で既に利用可能であるため、更なるハンドオーバ制御情報をソース及び／又は目標基地局１００，２００，３００と交換する必要がない。よって、利用可能なセルへ適切にハンドオーバするための時間は短縮されて、ユーザ経験を改善し且つコールドロップを回避する。
【００６５】
図５及び図６は、本発明の望ましい実施形態を表す。図５に表される、ＬＴＥに基づく第１の望ましい実施形態において、無線通信ネットワーク１は、１よりも多いセルを夫々制御する複数の基地局１００，２００，３００を有する。無線通信ネットワーク１のユーザ設備１０によって送信される測定リポートの受信時に、ソース基地局１００は、ハンドオーバ準備のために１又はそれ以上の目標基地局２００，３００を選択する。
【００６６】
ソース基地局１００は、ハンドオーバリクエストメッセージを送信することによって、複数の目標基地局２００，３００に対する多重ハンドオーバ準備プロシージャを開始する。ハンドオーバリクエストメッセージは、（目標セルＩＤによって特定される）目標セルに関する情報を含み、ＲＲＣコンテキストを有してよい。ＲＲＣコンテキストは、ハンドオーバ準備情報、ＡＳコンテキスト、再設情報、及び追加再設情報リストを有する。然るに、ソース基地局１００から目標基地局２００，３００へ送信されるハンドオーバリクエストメッセージの夫々において、目標セルは“目標セルＩＤ”によって示され、再設セルのリストも含まれる。このプロシージャは基本的に、例えば、３ＧＰＰ  ＴＳ  ３６．３３１のセクション１０．２及び１０．３において記載されるような既知のハンドオーバ準備に対応する。なお、その開示は、参照により本願に援用される。
【００６７】
しかし、既知のハンドオーバ準備と対照的に、本発明の目標基地局２００，３００は、目標セルｔに対してのみならず、再設セルｒ１，ｒ２に対してもアドミッション制御を行う。目標セルｔに対して及び少なくとも１つの再設セルｒ１，ｒ２に対してアドミッション制御を行うことによって、ユーザ設備１０は、目標セルｔによるハンドオーバの失敗時に無線接続を再設するのに必要な全ての情報を有するので、容易に準備された且つ利用可能な再設セルｒ１，ｒ２へ速やかにフォールバックすることを可能にされる。
【００６８】
図５に表されるように、目標セルｔに対する及び再設セルｒ１，ｒ２に対するアドミッション制御の結果は、ハンドオーバリクエスト肯定応答メッセージに含まれるハンドオーバコマンドに含まれるフィードバックの形で、ソース基地局１００へ返送される。図５で、フィードバックは“ＲｅｅｓｔａｂＣｅｌｌＬｉｓｔ”と示されている。次いで、ソース基地局１００は、ユーザ設備１０に“ＲｅｅｓｔａｂＣｅｌｌＬｉｓｔ”を供給することによって、再設のための適切なセルｒ１，ｒ２のリストによりハンドオーバにおいてユーザ設備１０を更新する。
【００６９】
図６は、本発明に従うハンドオーバ準備プロシージャの第２の望ましい実施形態を示す。第２の実施形態は、多重ハンドオーバ準備プロシージャがリレー及びフェムトシナリオとの関連で説明される点を除いて、第１の実施形態と同様である。リレー局又はフェムト局のセルは、リレーである場合にドナーｅＮＢであり、フェムトである場合にホームｅＮＢゲートウェイである、例えば同じｅＮＢＩＤを共有するそのプロキシのセルとして扱われてよい。然るに、ドナーｅＮＢ及びホームｅＮＢゲートウェイは、本発明の意義範囲内で目標基地局と同一であると見なされてよい。
【００７０】
図６は、リレーネットワークにおける多重ハンドオーバ準備プロシージャの実施形態を示す。フェムトネットワークに関する実施形態は表されないが、ＬＴＥシナリオ又はリレーシナリオに関して説明されるのと同じ原理が適用されてよい。具体的に、フェムトシナリオでは、図６のリレーシナリオのドナーｅＮＢが、フェムトシナリオのホームｅＮＢゲートウェイによって置換されてよい。
【００７１】
図６に表されるソース基地局１００は、ハンドオーバリクエストメッセージをドナーｅＮＢ２１０へ送信することによって、ドナーｅＮＢ（ＤｅＮＢ）２１０及びリレー局３１０に対するハンドオーバ準備を開始する。ハンドオーバリクエストメッセージにおいて、追加再設情報リストが含まれ、これは、ドナーｅＮＢ２１０の及びリレー局３１０の目標セルｔ及び１又はそれ以上の再設セルｒ１，ｒ２を示す。追加再設情報リストがリレー局３１０のセルも示す場合に、ドナーｅＮＢ２１０はハンドオーバリクエストメッセージをリレー局３１０へ転送する。リレー局３１０及びドナーｅＮＢ２１０は、再設セルリストにおいて示されるセルr1，ｒ２に対してアドミッション制御を行う。リレー局３１０は、ハンドオーバリクエスト肯定応答をドナーｅＮＢ２１０へ送信する。ハンドオーバリクエスト肯定応答は、再設セルリストにおいて示されるセルｒ１，ｒ２に対するアドミッション制御を表すフィードバック情報を含む。次いで、ドナーｅＮＢ２１０は、それ自身及びリレー局３１０からの複合フィードバック（“ＲｅｅｓｔａｂＣｅｌｌＬｉｓｔ”）を含むハンドオーバリクエスト肯定応答をもってソース基地局１００に応答する。次いで、ソース基地局１００は、“ＲｅｅｓｔａｂＣｅｌｌＬｉｓｔ”により再設のために適切なセルに関する情報によりユーザ設備１０を更新する。
【００７２】
図７は、本発明に従う無線通信システム１の実施形態を概略的に表す。図１に関して既に述べられたのと同様に、モバイル通信システム１は、複数の基地局１００，２００，２１０，３００，３１０と、ユーザ設備１０とを有する。通信リンクは、ユーザ設備１０と前記複数の基地局の中のソース基地局１００との間に確立される。
【００７３】
図７の実施形態で表されるように、本発明の実施形態のモバイル通信システム１は、ハンドオーバ制御ユニット９を有する。ハンドオーバ制御ユニット９は、測定リポートに基づき、複数の基地局の中の目標基地局２００，２１０，３００，３１０の再設セル及び目標セルを選択するセル選択ユニット２を有する。測定リポートは、ハンドオーバのための前記複数の基地局のセルの特性の測定を含む。ハンドオーバ制御ユニット９は、ハンドオーバリクエストをソース基地局１００から目標基地局２００，２１０，３００，３１０へ送信することによってハンドオーバ準備を開始するハンドオーバ準備ユニット３を更に有する。ハンドオーバリクエストは、目標セル及び再設セルを示す。ハンドオーバ制御ユニット９は、目標セルに対して及び再設セルに対してアドミッション制御を行うアドミッション制御ユニット４を更に有する。ハンドオーバ制御ユニット９は、ハンドオーバリクエスト肯定応答を目標基地局２００，２１０，３００，３１０からソース基地局１００へ送信することによってハンドオーバを開始するハンドオーバユニット５を更に有する。ハンドオーバリクエスト肯定応答は、目標セルに対する及び再設セルに対するアドミッション制御を表すフィードバック情報を含む。ハンドオーバ制御ユニット９は、目標セルに対する及び再設セルに対するアドミッション制御を表すフィードバック情報によりユーザ設備１０を更新する更新ユニット６を更に有する。
【００７４】
図８は、本発明に従うソース基地局１００及び目標基地局２００の実施形態を概略的に表す。ソース基地局１００は、測定リポートに基づき目標基地局２００の再設セル及び目標セルを選択するセル選択ユニット１１０を有する。測定リポートは、ハンドオーバのための複数の基地局のセルの特性の測定を含む。ソース基地局１００は、ハンドオーバリクエスト目標基地局２００へ送信することによってハンドオーバ準備を開始するハンドオーバリクエスト送信ユニット１２０を更に有する。ハンドオーバリクエストは、目標セル及び再設セルを示す。
【００７５】
目標基地局２００は、ハンドオーバリクエストをソース基地局１００から受信すると、ハンドオーバ準備を開始するハンドオーバ準備ユニット１３０を有する。ハンドオーバリクエストは、ハンドオーバのための目標基地局２００の再設セル及び目標セルを示す。目標基地局２００は、目標セルに対して及び再設セルに対してアドミッション制御を行うアドミッション制御ユニット１４０を更に有する。目標基地局２００は、ハンドオーバリクエスト肯定応答をソース基地局１００へ送信することによってハンドオーバを開始するハンドオーバリクエスト肯定応答送信ユニット１５０を更に有する。ハンドオーバリクエスト肯定応答は、目標セルに対する及び再設セルに対するアドミッション制御を表すフィードバック情報を含む。
【００７６】
ソース基地局１００は、ハンドオーバリクエスト肯定応答を目標基地局２００から受信すると、ハンドオーバを開始するハンドオーバユニット１６０を更に有する。ハンドオーバリクエスト肯定応答は、目標セルに対する及び再設セルに対するアドミッション制御を表すフィードバック情報を含む。ソース基地局１００は、目標セルに対する及び再設セルに対するアドミッション制御を表すフィードバック情報によりユーザ設備１０を更新する更新ユニット１７０を更に有する。
【００７７】
通常、ソース基地局１００及び目標基地局２００は、同じ基地局によって実行される機能と関連している。よって、更なる望ましい実施形態の基地局は、ソース及び目標基地局の機能に関してここで別々に記載されている全ての特徴を有する。よって、望ましい実施形態の基地局は、本発明の意義範囲内でソース兼目標基地局であるよう適合される。
【００７８】
図９は、本発明に従うユーザ設備１０及びソース／目標基地局１００，２００の実施形態を概略的に表す。ユーザ設備１０は、測定リポートをソース基地局１００へ通信リンクを介して送信する測定リポート送信ユニット１１を有する。測定リポートは、ハンドオーバのための複数の基地局のセルの特性の測定を含む。ユーザ設備１０は、ハンドオーバの目標基地局２００の再設セルｒ１，ｒ２に対する及び目標セルｔに対するアドミッション制御を表すフィードバック情報を受信するフィードバック情報受信ユニット１２を更に有する。図９で、ソース基地局１００及び目標基地局２００は複合エンティティとして表されており、その詳細は図８において表されている。
【００７９】
先に説明されたように、本発明は、具体的に、ＬＴＥ−Ａｄｖａｎｃｅｄにおける実施に適合される。然るべく望ましい実施形態は、３ＧＰＰ  ＴＳ  ３６．３００、セクション１０．１．２を参照して以下で提示される。なお、その開示は、参照により本願に援用される。
【００８０】
望ましい実施形態に従って、“ハンドオーバリクエスト”は、３ＧＰＰ  ＴＳ  ３６．４２３のセクション８．２．１及び９．１．１．１において記載されるＨＡＮＤＯＶＥＲ  ＲＥＱＵＥＳＴに含まれるハンドオーバ準備情報メッセージ（Handover  Preparation  Information  message）に対応し、“ハンドオーバリクエスト肯定応答”は、３ＧＰＰ  ＴＳ  ３６．４２３のセクション８．２．１及び９．１．１．２において記載されるように、ＨＡＮＤＯＶＥＲ  ＲＥＱＵＥＳＴ  ＡＣＫＮＯＷＬＥＤＧＥに対応し、ハンドオーバコマンド（Handover  Command）を含む。
【００８１】
ハンドオーバプロシージャは、ＥＰＣの関与なしで実行されてよい。すなわち、準備メッセージは、ソース基地局１００及び目標基地局２００であるｅＮＢ１００，２００の間で直接に、望ましくはＸ２インターフェースを介して、交換されてよい。以下で、ＬＴＥ−ＡｄｖａｎｃｅｄのＭＭＥ−サービングゲートウェイ間ハンドオーバプロシージャが与えられる：
１．ソースｅＮＢ１００は、例えばエリア制限情報に従って、ＵＥ測定プロシージャを設定する。ソースｅＮＢ１００によって提供される測定は、ＵＥの接続モビリティを制御する機能を支援してよい。
【００８２】
２．ＵＥ１０は、例えばシステム情報、仕様等によって設定される規則によって、ソース基地局１００へ測定リポートを送信するようトリガされる。
【００８３】
３．ソースｅＮＢ１００は、受信された測定リポート及び任意にＲＲＭ情報のような更なる情報に基づき、ＵＥ１０を他の基地局へハンドオーバすると決定する。
【００８４】
４．ソースｅＮＢ１００は、目標側でハンドオーバを準備するよう、情報を送った目標ｅＮＢ２００へハンドオーバリクエストメッセージを発する。それらの情報は、ソースｅＮＢでのＵＥ  Ｘ２シグナリングコンテキスト参照、ＵＥ  Ｓ１  ＥＰＣシグナリングコンテキスト参照、目標セルＩＤ、ＫｅＮＢ＊、ソースｅＮＢにおけるＵＥのＣ−ＲＮＴＩを含むＲＲＣコンテキスト、ＡＳコンフィグレーション、Ｅ−ＲＡＢコンテキスト、及び可能なＲＬＦ回復のためのソースセル＋ＭＡＣの物理レイヤＩＤを含んでよい。ＵＥ  Ｘ２／ＵＥ  Ｓ１シグナリング参照は、目標ｅＮＢ２００がソースｅＮＢ１００及びＥＰＣをアドレス指定することを可能にする。Ｅ−ＲＡＢコンテキストは、ＲＮＬ（Radio  Network  Layer）及びＴＮＬ（Transport  Network  Layer）アドレッシング情報と、Ｅ−ＲＡＢのＱｏＳプロファイルとを含む。更なる詳細のために、３ＧＰＰ  ＴＳ  ３６．３００、セクション１０．１．１及びその参考資料を参照されたい。
【００８５】
ＲＮＬは、無線ネットワーク制御プレーン及び無線ネットワークユーザプレーンを含む。それは、無線アクセスベアラに関連する機能（Radio  Access  Bearer-related  functions）を扱う。
【００８６】
ＴＮＬは、無線アクセスネットワーク（ＲＡＮ）とコアネットワーク（ＣＮ）との間に物理的及び論理的接続を確立する。それは、トランスポートネットワーク制御プレーン及びトランスポートネットワークユーザプレーンを有する。
【００８７】
ＲＮ（リレーノード）の下のＵＥ１０がハンドオーバを行う場合に、ハンドオーバリクエストは、ＤｅＮＢ２１０によって受信される。ＤｅＮＢ２１０は、メッセージから目標セルＩＤを読み出し、その目標セルＩＤに対応する目標ｅＮＢ３１０を見つけ、Ｘ２メッセージを目標ｅＮＢ３１０へ転送する。
【００８８】
ＵＥ１０がＲＮへのハンドオーバを行う場合に、ハンドオーバリクエストは、ＤｅＮＢ２１０によって受信される。ＤｅＮＢ２１０は、メッセージから目標セルＩＤを読み出し、その目標セルＩＤに対応する目標ＲＮ３１０を見つけ、Ｘ２メッセージを目標ＲＮ３１０へ転送する。
【００８９】
５．アドミッション制御は、リソースが目標ｅＮＢ２００によって供与され得る場合に、ハンドオーバの成功確立を高めるよう、受信されたＥ−ＲＡＢ  ＱｏＳ情報に応じて目標ｅＮＢ２００によって実行されてよい。目標ｅＮＢ２００は、受信されたＥ−ＲＡＢ  ＱｏＳ情報に従って、要求されるリソースを設定し、Ｃ−ＲＮＴＩ（Cell  Radio  Network  Identifier）及び任意にＲＡＣＨ（Random  Access  Channel）プリアンブルをリザーブする。
【００９０】
本発明の望ましい実施形態に従って、このステップは、少なくとも１つの再設セルｒ１，ｒ２に対して、目標セルｔを参照して上述されたアドミッション制御を実行することによって、変更される。
【００９１】
Ｃ−ＲＮＴＩは、ｅノードＢによって割り当てられ、そのｅノードＢによって制御される１つのセル内で一意であるＵＥ識別子である。
【００９２】
ＲＡＣＨは、ＵＥ１０が正確なアップリンクタイミング同期を有さない場合に、又はＵＥ１０が如何なる割当アップリンク伝送リソースも有さない場合に、ネットワークへのアクセスのために使用されるトランスポートチャネルである。ＲＡＣＨは、通常、コンテンションベースであり、これは、ＵＥ１０の間でコリジョンを生じさせうる。
【００９３】
目標セルｔにおいて使用されるＡＳ（Access  Stratum）設定は、独立して（すなわち、“確立”）、又はソースセルｓにおいて使用されるＡＳ設定と比較した差分として（すなわち、“再設定”）特定され得る。
【００９４】
６．目標ｅＮＢ２００は、レイヤＬ１／Ｌ２によりハンドオーバを準備し、ハンドオーバリクエスト肯定応答をソースｅＮＢ１００へ送信する。ハンドオーバリクエスト肯定応答メッセージは、ハンドオーバを実行するようＲＲＣ（Radio  Resource  Control）メッセージとしてＵＥ１０へ送信されるトランスペアレント・コンテナを含む。コンテナは、新たなＣ−ＲＮＴＩ、選択されるセキュリティアルゴリズムのための目標ｅＮＢセキュリティアルゴリズム識別子を含み、それはまた、専用のＲＡＣＨプリアンブル、及び場合により何らかの他のパラメータ、すなわち、アクセスパラメータ、ＳＩＢ等を含んでよい。ハンドオーバリクエスト肯定応答メッセージはまた、必要に応じて、転送トンネルのためのＲＮＬ／ＴＮＬ情報を含んでよい。
【００９５】
本発明の望ましい実施形態に従って、このステップは、トランスペアレント・コンテナが少なくとも１つの再設セルｒ１，ｒ２に対するアドミッション制御のパラメータを更に含むことによって、変更される。
【００９６】
ＲＲＣは、部分的に、ＮＡＳへ情報転送サービスを提供する制御プレーンにおいてのみ存在する無線インターフェースレイヤ３のサブレイヤである。ＲＲＣは、無線インターフェースレイヤ１及び２の設定を制御することに関与する。
【００９７】
ソースｅＮＢ１００がハンドオーバリクエスト肯定応答を受信する場合に、又はハンドオーバコマンドの送信がダウンリンクにおいて開始される場合に、データ転送が開始されてよい。
【００９８】
７．目標ｅＮＢ２００は、ハンドオーバを実行するようＲＲＣメッセージを生成する。このメッセージは、ソースｅＮＢ１００によってＵＥ１０へ送信されるｍｏｂｉｌｉｔｙＣｏｎｔｒｏｌＩｎｆｏｒｍａｔｉｏｎ（モビリティ制御情報）を含むＲＲＣＣｏｎｎｅｃｔｉｏｎＲｅｃｏｎｆｉｇｕｒａｔｉｏｎ（ＲＲＣ接続再設定）メッセージである。ソースｅＮＢ１００は、メッセージの完全性保護（integrity  protection）及び暗号化を行う。ＵＥ１０は、パラメータ（例えば、新たなＣ−ＲＮＴＩ、目標ｅＮＢセキュリティアルゴリズム識別子、及び任意に、専用のＲＡＣＨプリアンブル、目標ｅＮＢ  ＳＩＢ、等）とともにＲＲＣＣｏｎｎｅｃｔｉｏｎＲｅｃｏｎｆｉｇｕｒａｔｉｏｎメッセージを受信し、ハンドオーバを行うようソースｅＮＢ１００によって命じられる。
【００９９】
本発明の望ましい実施形態に従って、このステップは、ＲＲＣＣｏｎｎｅｃｔｉｏｎＲｅｃｏｎｆｉｇｕｒａｔｉｏｎメッセージのパラメータが更に少なくとも１つの再設セルｒ１，ｒ２にも関連していることによって、変更される。
【０１００】
ハンドオーバプロシージャの次のステップに関する更なる詳細のために、３ＧＰＰ  ＴＳ  ３６．３００、セクション１０．１．１及びその参考資料を参照されたい。ＬＴＥ及びＬＴＥ−Ａｄｖａｎｃｅｄの更なる詳細のために、３ＧＰＰ  ３６．３３１に記載される無線リソース制御（ＲＲＣ）のプロトコル仕様、３ＧＰＰ  ３６．４１３に記載されるＳ１アプリケーションプロトコル、及び３ＧＰＰ  ３６．４２３に記載されるＸ２アプリケーションプロトコルを参照されたい。それらの文献の開示は、参照により本願に援用される。
【図１】
0005831623.tif 000002
【図２】
0005831623.tif 000003
【図３】
0005831623.tif 000004
【図４】
0005831623.tif 000005
【図５】
0005831623.tif 000006
【図６】
0005831623.tif 000007
【図７】
0005831623.tif 000008
【図８】
0005831623.tif 000009
【図９】
0005831623.tif 000010